(57)【要約】【課題】肘掛けを使用位置と跳ね上げ位置との間で回動することができ、また、肘掛けを使用位置に確実に保持して意図しない肘掛けの跳ね上げを規制する。【解決手段】脚２に取り付けられた座部３と、脚２または座部３に取り付けられた背もたれ４と、背もたれ４に取り付けられた一対の肘掛け５と、からなる浴室用椅子１において、肘掛け５を、背もたれ４の両側から前方に差し出された略水平な使用位置と、座部３の上部側方が開放された跳ね上げ位置にわたって水平軸回りに回動自在に支持する。そして、肘掛け本体５１の上辺部５１１に嵌挿された切替パイプ５５の穴からロックピンを突出させて、切替パイプ５５をパイプキャッチ５４に装着するとき、ロックピンがパイプキャッチ５４の穴に嵌合することから、肘掛け４が跳ね上げ位置に回動しないように規制することができる。【選択図】  図３
2005110784.tif 000002
【特許請求の範囲】
【請求項１】
脚に取り付けられた座部と、脚または座部に取り付けられた背もたれと、背もたれに取り付けられた一対の肘掛けと、からなる浴室用椅子であって、前記肘掛けは、背もたれの両側から前方に差し出された略水平な使用位置と、座部の上部側方が開放された跳ね上げ位置にわたって水平軸回りに回動自在であり、かつ、回動不能な規制状態と、回動を許容する規制解除状態とに選択可能であることを特徴とする浴室用椅子。
【請求項２】
前記各肘掛けは、Ｕ字状に屈曲されて上辺部および下辺部を有する肘掛け本体と、背もたれに固定され、肘掛け本体の下辺部側先端部が回転自在に嵌挿されたガイドパイプと、肘掛け本体の上辺部側先端部近傍に回転自在に嵌挿された切替パイプと、背もたれに固定され、切替パイプを装着離脱自在なパイプキャッチと、肘掛け本体の上辺部側先端部近傍に設けられ、軸線方向に間隔をおいてそれぞれ外方に突出するように付勢された複数個のロックピンと、肘掛け本体の下辺部側先端部近傍に設けられ、ロックピンの間隔と同一の間隔をおいてそれぞれ外方に突出するように付勢された複数個のストッパピンと、から構成され、切替パイプには、複数個のロックピンに対応して複数個の穴が形成され、一方、パイプキャッチには、選択されたロックピンに対応して単一の穴が形成され、また、ガイドパイプには、選択されたストッパピンに対応して単一の長穴が周方向に形成されてなり、ガイドパイプの長穴に選択されたストッパピンが嵌合した位置において、切替パイプを回転させることにより、ロックピンを切替パイプの穴から突出させてパイプキャッチの穴に嵌合させた状態と、隠蔽した状態とに選択可能であることを特徴とする請求項１記載の浴室用椅子。
【請求項３】
前記肘掛け本体の上辺部には、その先端部近傍に最外方のロックピンを除くロックピンに対応して周方向に間隔をおいて外方に突出するように付勢された１個または複数個の外れ防止ピンが設けられるとともに、その先端部にはストッパが固定され、ストッパの外端縁または外れ防止ピンがパイプキャッチの内端縁に当接することを特徴とする請求項２記載の浴室用椅子。
【発明の詳細な説明】
【技術分野】
【０００１】
本発明は、高齢者や身体障害者、病人などの介助に好適な浴室用椅子に関するものである。
【背景技術】
【０００２】
高齢者や身体障害者、病人などは、入浴時に椅子に腰掛けて体を洗うのが好都合であり、従来から、種々の浴室用椅子が提案されている。
【０００３】
例えば、特許文献１には、金属パイプをＵ字状に湾曲形成した肘掛けが備えられた浴室用椅子が記載されている。この浴室用椅子の肘掛けは、座部の両側から上方に立ち上がらせた取付位置と、背もたれの両側から前方に差し出した取付位置とに変更できるように構成されており、高齢者などの使用者の体形や障害の程度、使用状況に応じて肘掛けの取付位置を変えるようになっている。
【特許文献１】特開２００２−３２５６４８号公報
【発明の開示】
【発明が解決しようとする課題】
【０００４】
しかしながら、特許文献１記載の浴室用椅子では、肘掛けの位置を変えるために、肘掛けを固定しているビスを取り外し、肘掛けを移動させた後に、再度取り付ける必要があり、煩雑である。
【０００５】
また、肘掛けは、いずれの取付状態においても、座部の上部両側方を閉鎖するようにビスによって座部に固定されるため、浴室用椅子の前方からしか使用者の体を移し替ることができなかった。このため、例えば、使用者が浴室用椅子に座って体を洗った後に浴槽につかる際、狭い浴室内で椅子の向きを変更する必要があり、使用者および介助者の負担が大きかった。この負担を軽減するには、使用者が椅子の側方から移乗できることが好ましいが、そのためには、肘掛けを外す必要があり、浴室内で肘掛けを一々着脱するのは困難である。
【０００６】
本発明は、このような問題点に鑑みてなされたものであって、肘掛けを使用位置と跳ね上げ位置との間で回動することができるとともに、肘掛けを使用位置に確実に保持して意図しない肘掛けの跳ね上げを防止することのできる浴室用椅子を提供するものである。
【課題を解決するための手段】
【０００７】
本発明は、脚に取り付けられた座部と、脚または座部に取り付けられた背もたれと、背もたれに取り付けられた一対の肘掛けと、からなる浴室用椅子であって、前記肘掛けは、背もたれの両側から前方に差し出された略水平な使用位置と、座部の上部側方が開放された跳ね上げ位置にわたって水平軸回りに回動自在であり、かつ、回動不能な規制状態と、回動を許容する規制解除状態とに選択可能であることを特徴とするものである。
【０００８】
本発明によれば、各肘掛けを使用位置に回動させることにより、高齢者などの使用者の体を安定して支えることができる。一方、肘掛けを跳ね上げ位置に回動させることにより、浴室用椅子の側方が開放されるので、使用者は浴室用椅子の側方から移乗することができる。したがって、使用者および介助者の負担が軽減される。また、肘掛けを規制状態とすれば、不用意な肘掛けの跳ね上げを確実に防止することができ、意図することなく肘掛けが跳ね上げられ、開放された側方から使用者が滑落することを防止できる。
【０００９】
本発明において、前記各肘掛けは、Ｕ字状に屈曲されて上辺部および下辺部を有する肘掛け本体と、背もたれに固定され、肘掛け本体の下辺部側先端部が回転自在に嵌挿されたガイドパイプと、肘掛け本体の上辺部側先端部近傍に回転自在に嵌挿された切替パイプと、背もたれに固定され、切替パイプを装着離脱自在なパイプキャッチと、肘掛け本体の上辺部側先端部近傍に設けられ、軸線方向に間隔をおいてそれぞれ外方に突出するように付勢された複数個のロックピンと、肘掛け本体の下辺部側先端部近傍に設けられ、ロックピンの間隔と同一の間隔をおいてそれぞれ外方に突出するように付勢された複数個のストッパピンと、から構成され、切替パイプには、複数個のロックピンに対応して複数個の穴が形成され、一方、パイプキャッチには、選択されたロックピンに対応して単一の穴が形成され、また、ガイドパイプには、選択されたストッパピンに対応して単一の長穴が周方向に形成されてなり、ガイドパイプの長穴に選択されたストッパピンが嵌合した位置において、切替パイプを回転させることにより、ロックピンを切替パイプの穴から突出させてパイプキャッチの穴に嵌合させた状態と、隠蔽した状態とに選択可能であることを特徴とする。
【００１０】
本発明によれば、ガイドパイプの長穴に対して任意のストッパピンを選択して嵌合させることにより、一対の肘掛けの間隔を調節することができ、使用者の体型に合わせて肘掛けの間隔を調節して使用することができるので、使い勝手がよい。そして、各調節位置において、切替パイプを回転させ、その穴からロックピンが突出した状態でパイプキャッチに装着すれば、選択されたストッパピンに対応するロックピンがパイプキャッチの穴に嵌合することから、肘掛け本体の下辺部がガイドパイプ回りに回動するのを規制することができる。したがって、不用意な肘掛けの跳ね上げを確実に防止することができ、意図することなく肘掛けが回動し、開放された側方から使用者が滑落することを防止できる。また、使用者が、肘掛けに下向きに負荷を作用させたとしても、パイプキャッチの穴にロックピンが嵌合していることから、肘掛け本体の上辺部がパイプキャッチから脱落することを確実に防止でき、安全に使用することができる。
【００１１】
一方、切替パイプを回転してその穴からロックピンが突出することなく隠蔽した状態でパイプキャッチに装着すれば、ロックピンはパイプキャッチの穴に嵌合しないことから、パイプキャッチに対する切替パイプの離脱が許容され、肘掛けを跳ね上げて回動させることができる。
【００１２】
本発明において、前記肘掛け本体の上辺部には、その先端部近傍に最外方のロックピンを除くロックピンに対応して周方向に間隔をおいて外方に突出するように付勢された１個または複数個の外れ防止ピンが設けられるとともに、その先端部にはストッパが固定され、ストッパの外端縁または外れ防止ピンがパイプキャッチの内端縁に当接することを特徴とする。
【００１３】
本発明によれば、切替パイプを回転させ、その穴からロックピンが突出することなく隠蔽した状態でパイプキャッチに装着させた場合、選択されたストッパピンに対応する外れ防止ピンが切替パイプの穴から突出してパイプキャッチの内端縁に当接するか、ストッパの外端縁がパイプキャッチの内端縁に当接する。したがって、使用者が、肘掛けに下向きに負荷を作用させたとしても、パイプキャッチの内端縁に外れ防止ピンまたはストッパの外端縁が当接し、肘掛け本体の上辺部がパイプキャッチから脱落することを確実に防止でき、安全に使用することができる。
【発明の効果】
【００１４】
本発明によれば、肘掛けを使用位置と跳ね上げ位置との間で回動することができることから、肘掛けを跳ね上げることにより、開放された側方から使用者が移乗することができる。また、肘掛けを使用位置に確実に保持して意図しない肘掛けの跳ね上げを防止するこ
とができ、肘掛けを安全に使用することができる。
【発明を実施するための最良の形態】
【００１５】
以下、本発明の実施の形態について図を参照して説明する。
【００１６】
図１乃至図３には、本発明の浴室用椅子１の一実施形態が示されている。
【００１７】
この浴室用椅子１は、脚２と、脚２に取り付けられた座部３と、脚２に取り付けられた背もたれ４と、背もたれ４に取り付けられた一対の肘掛け５と、から構成されている。
【００１８】
脚２は、略コ字状に折曲された一対の脚本体２１と、脚本体２１の両端部にそれぞれ摺動自在に嵌挿された４本の伸縮脚２２と、からなり、金属製パイプ、例えば、防錆性や軽量性に優れたアルミニウムパイプで形成されている。そして、一対の脚本体２１は、詳細には図示しないが、それぞれ略中間位置が略偏平に押し潰されてＸ字状に交差され、交差部分がネジ止めされて一体に固定されている。
【００１９】
また、脚本体２１の両端部近傍には、図示しないバネを介して外周面から突出するように付勢された位置決めピン２３が設けられている。
【００２０】
一方、各伸縮脚２２には、脚本体２１に設けられた位置決めピン２３に対応して、設定間隔をおいて複数個の位置決め穴２２ａが形成されており、位置決め穴２２ａに位置決めピン２３を嵌合させることにより、脚本体２１に対する伸縮脚２２の伸縮量を調節することができる。また、各伸縮脚２２の上端には、キャップ２４がねじ込まれており、キャップ２４を締め付けることにより、脚本体２１の外周面と伸縮脚２２の内周面との隙間を狭めてがたつきを防止することができる。さらに、各伸縮脚２２の下端部には、脚ゴム２５が装着されており、洗い場面に傷をつけたり、滑ることが防止される。
【００２１】
なお、脚２の材質としては、アルミ以外に、鉄あるいはステンレスであってもよい。
【００２２】
座部３は、図４に示すように、前端に凹状部を有するプラスチック製の中空状座本体３１と、座本体３１に合致する形状に形成されて座本体３１の上面全体を覆う発泡プラスチック製のクッション部３２と、からなり、座本体３１が脚２の脚本体２１にネジ止めされている。そして、座本体３１には複数個の嵌合穴３１ａが形成され、一方、クッション部３２の裏面には、座本体３１の嵌合穴３１ａに嵌合可能な突出部３２ａが下方に向けて形成されている。したがって、座本体３１の嵌合穴３１ａにクッション部３２の突出部３２ａを嵌合させることにより、座本体３１およびクッション部３２を一体化して座部３を形成することができ、また、クッション部３２を座本体３１から簡単に取り外して洗浄したり、交換することができる。
【００２３】
背もたれ４は、図５に示すように、指を挿入可能な把持穴４１ｘが形成されたプラスチック製の中空状背もたれ本体４１と、背もたれ本体４１の把持穴４１ｘに対応する把持穴４２ｘが形成されるとともに、背もたれ本体４１に合致する形状に形成されて背もたれ本体４１の前面全体を覆う発泡プラスチック製のクッション部４２と、略Ｌ字状に折曲されて、一端部が背もたれ本体４１の背面にネジ止めされたアルミパイプ製の一対のアーム４３と、からなり、各アーム４３の他端部は、脚２の脚本体２１にネジ止めされている。そして、背もたれ本体４１には複数個の嵌合穴４１ａが形成され、一方、クッション部４２の裏面には、背もたれ本体４１の嵌合穴４１ａに嵌合可能な突出部４２ａが後方に向けて形成されている。したがって、背もたれ本体４１の嵌合穴４１ａにクッション部４２の突出部４２ａを嵌合させることにより、背もたれ本体４１およびクッション部４２を一体化して背もたれ４を形成することができ、また、クッション部４２を背もたれ本体４１から
簡単に取り外して洗浄したり、交換することができる。
【００２４】
なお、図示しないが、クッション部４２の突出部４２ａは、背もたれ本体４１の嵌合穴４１ａに対して簡単に脱落しない程度に摩擦力を有する形状とされている。
【００２５】
肘掛け５は、略中間部がＵ字状に屈曲されるとともに、略後半部が上方より見て直角に屈曲された略平行な上辺部５１１および下辺部５１２を有するアルミパイプ製の肘掛け本体５１と、前述した背もたれ４の背もたれ本体４１の背面下部に固定されたパイプホルダー５２と、両端部がパイプホルダー５２の側端縁を越えて突出するようにパイプホルダー５２に固定されたガイドパイプ５３と、後述するロックピン５８１，５８２が選択的に嵌合可能な穴５４ａ（図７参照）が形成されて、背もたれ４の各アーム４３の一端部にそれぞれ固定されたパイプキャッチ５４と、肘掛け本体５１の上辺部５１１の先端部近傍に回転自在に嵌挿され、パイプキャッチ５４に装着離脱自在な外径に形成された切替パイプ５５と、肘掛け本体５１の上辺部５１１の先端部に固定され、切替パイプ５５よりも大径に形成されたストッパ５６と、からなり、肘掛け本体５１の下辺部５１２の先端部がガイドパイプ５３に摺動自在に嵌挿されている。そして、肘掛け本体５１のＵ字状屈曲部を含む上辺部５１１と下辺部５１２の略前半部は、プラスチック発泡体製のクッション部５７で被覆されている。
【００２６】
一方、図６および図７に示すように、肘掛け本体５１の上辺部５１１の先端部近傍には、図示しないバネを介して外周面から突出するように付勢された複数個、具体的には、２個のロックピン５８１，５８２が軸線方向に間隔をおいて設けられるとともに、内方のロックピン５８２から周方向に間隔をおいて、具体的には、１８０度隔てて、図示しないバネを介して外周面から突出するように付勢された外れ防止ピン５８３が設けられている。さらに、切替パイプ５５には、前述した２個のロックピン５８１，５８２の間隔と同一の間隔をおいて２個の穴５５ａ，５５ｂが軸線方向に沿って形成されている。
【００２７】
したがって、切替パイプ５５を１８０度回転させることにより、その穴５５ａ，５５ｂを通してロックピン５８１，５８２を突出させるとともに、外れ防止ピン５８３を隠蔽した状態（図６および図７参照）と、後述するように、外れ防止ピン５８３を穴５５ｂを通して突出させるとともに、ロックピン５８１，５８２を隠蔽した状態（図９参照）とを選択することができる。
【００２８】
また、肘掛け本体５１の下辺部５１２の先端部には、ロックピン５８１，５８２の間隔と同一の間隔をおいて、図示しないバネを介して外周面から突出するように付勢された２個のストッパピン５９１，５９２が設けられている。そして、ガイドパイプ５３の両端部には、ストッパピン５９１，５９２を選択的に嵌合可能な長穴５３ａが周方向に沿ってそれぞれ形成されている（図３参照）。このガイドパイプ５３の長穴５３ａの長さは、肘掛け５の回動範囲に設定されている。すなわち、肘掛け５が略水平な使用位置（図２参照）にあるとき、ストッパピン５９１，５９２は長穴５３ａの一方の内端縁に当接し、それ以上の下方への回動を阻止し、また、肘掛け５を使用位置から回動させて略垂直な跳ね上げ位置（図８参照）にあるとき、ストッパピン５９１，５９２は長穴５３ａの他方の内端縁に当接し、それ以上の上方への回動を阻止するようになっている。
【００２９】
また、ストッパピン５９１，５９２を押し込んで、肘掛け５を互いに接近する方向あるいは離隔する方向に移動させることにより、使用者の体型に合わせて肘掛け５の間隔を簡単に調整することができる。
【００３０】
ここで、外方のストッパピン５９１がガイドパイプ５３の長穴５３ａに嵌合されるとき、外方のロックピン５８１がパイプキャッチ５４の穴５４ａに嵌合可能であり、かつ、外
れ防止ピン５８３がパイプキャッチ５４の内端縁に当接可能となっている（図３、図７および図９参照）。また、外方のストッパピン５９１を押し込んで肘掛け５を互いに離隔する方向に引き出すことにより、内方のストッパピン５９２がガイドパイプ５３の長穴５３ａに嵌合されるとき、内方のロックピン５８２がパイプキャッチ５４の穴５４ａに嵌合可能であり、かつ、ストッパ５６の外端縁がパイプキャッチ５４の内端縁に当接可能となっている（図１０乃至図１２参照）。
【００３１】
次に、上記構成の浴室用椅子１の使用方法を説明する。
【００３２】
なお、初期状態においては、図３および図７に示すように、外方のストッパピン５９１がガイドパイプ５３の長穴５３ａに嵌合されるとともに、外方のロックピン５８１が切替パイプ５５の穴５５ａから突出して、パイプキャッチ５４の穴５４ａに嵌合されているものとする。すなわち、肘掛け５は、間隔が狭められた位置にあり、かつ、略水平な使用位置にある。
【００３３】
この状態で使用者は、座部３上に座って体を洗うことができる。この際、使用者は、肘掛け５に肘を載せたり、肘掛け本体５１の上辺部５１１もしくは下辺部５１２を適宜把握することができるので、体を安定して支えることができる。また、肘掛け５のクッション部５７が使用者に接触するので、使用感がよい。さらに、使用者の臀部および背中は、座本体３１および背もたれ本体４１の全面を覆って設けられたクッション部３２，４２のみに接触するので、冬場の冷たさを緩和することができるとともに、座り心地がよい。
【００３４】
ここで、肘掛け５に使用者の体重が作用した場合、ロックピン５８１がパイプキャッチ５４の穴５４ａに嵌合されているため、パイプキャッチ５４から肘掛け本体５１の上辺部５１１が脱落することはなく、確実に保持される。また、肘掛け５を把握して上方に跳ね上げようとしても、同様に、ロックピン５８１がパイプキャッチ５４の穴５４ａに嵌合されているため、パイプキャッチ５４から肘掛け本体５１の上辺部５１１が離脱することなく保持される。したがって、不用意に肘掛け５を跳ね上げることにより、側方が開放されて使用者が滑落することを確実に防止できる。
【００３５】
体洗いが終了すれば、肘掛け５を略垂直の跳ね上げ位置まで回動させる（図８参照）。具体的には、ロックピン５８１を押し込んでパイプキャッチ５４の穴から離脱させた状態で、肘掛け本体５１を把握して上方へ持ち上げれば、外方のストッパピン５９１がガイドパイプ５３の長穴５３ａに沿って移動しつつ、肘掛け本体５１の下辺部５１２がガイドパイプ５３回りに回動し、切替パイプ５５がパイプキャッチ５４から離脱する。このため、簡単に跳ね上げ位置に回動させることができる。跳ね上げ位置では、座部３の上部側方が開放されるので、使用者は浴室用椅子１の側方から移乗することができ、使用者、介助者の双方にとって負担が軽くて済む。
【００３６】
また、肘掛け５の跳ね上げを特に規制しない場合は、ロックピン５８１を押し込んでパイプキャッチ５４の穴５４ａから離脱させた状態で、肘掛け本体５１を把握して上方へ持ち上げ、肘掛け本体５１の下辺部５１２をガイドパイプ５３回りに回動させて、切替パイプ５５をパイプキャッチ５４から離脱させる。次いで、ロックピン５８１を押し込んだ状態で、切替パイプ５５を１８０度回転させれば、ロックピン５８１が切替パイプ５５の内方に隠蔽されるとともに、切替パイプ５５の穴５５ｂから外れ防止ピン５８３が突出する（図９参照）。この後、肘掛け５を押し下げれば、肘掛け本体５１の下辺部５１２がガイドパイプ５３回りに回動し、上辺部５１１に嵌挿された切替パイプ５５をパイプキャッチ５４に装着することができる。
【００３７】
この状態では、ロックピン５８１は、切替パイプ５５によって隠蔽されているため、切
替パイプ５５をパイプキャッチ５４に装着しても、パイプキャッチ５４の穴５４ａにロックピン５８１が嵌合することはない。したがって、肘掛け５を持ち上げれば、肘掛け本体５１の下辺部５１２がガイドパイプ５３回りに回動して、切替パイプ５５、すなわち、上辺部５１１をパイプキャッチ５４から簡単に離脱させることができる。
【００３８】
ただし、切替パイプ５５の穴５５ｂから突出された外れ防止ピン５８３は、パイプキャッチ５４の内端縁に当接していることから、肘掛け５に下向きの力、例えば、使用者の体重が作用したとしても、外れ防止ピン５８３がパイプキャッチ５４の内端縁に当接し、パイプキャッチ５４から肘掛け本体５１の上辺部５１１が脱落することはなく、確実に保持される。
【００３９】
一方、浴室用椅子１の肘掛け５の幅を使用者の体型に合わせて拡張する場合は、ロックピン５８１を押し込んでパイプキャッチ５４の穴５４ａから離脱させた状態で、肘掛け本体５１を把握して上方へ持ち上げ、肘掛け本体５１の下辺部５１２をガイドパイプ５３回りに回動させて、切替パイプ５５をパイプキャッチ５４から離脱させる。次いで、ストッパピン５９１を押し込んで、肘掛け本体５１を互いに離隔する方向に引き出せば、ガイドパイプ５３の長穴５３ａに内方のストッパピン５９２が嵌合することから、ストッパピン５９１，５９２の間隔に相当する距離だけ肘掛け５の幅を拡張することができる（図１０参照）。この後、肘掛け５を押し下げて、肘掛け本体５１の上辺部５１１に嵌挿された切替パイプ５５をパイプキャッチ５４に装着させる。
【００４０】
この場合、切替パイプ５５の穴５５ｂから突出している内方のロックピン５８２がパイプキャッチ５４の穴５４ａに嵌合される（図１１参照）。この状態で、肘掛け５に使用者の体重が作用したとしても、ロックピン５８２がパイプキャッチ５４の穴５４ａに嵌合されているため、パイプキャッチ５４から肘掛け本体５１の上辺部５１１が離脱することはなく、確実に保持される。また、肘掛け５を把握して上方に跳ね上げようとしても、同様に、ロックピン５８２がパイプキャッチ５４の穴５４ａに嵌合されているため、パイプキャッチ５４から肘掛け本体５１の上辺部５１１が離脱することなく保持される。したがって、不用意に肘掛け５を跳ね上げて側方が開放され、使用者が滑落することを確実に防止できる。
【００４１】
また、肘掛け５の跳ね上げを特に規制しない場合は、前述したように、肘掛け本体５１の下辺部５１２をガイドパイプ５３回りに回動させて、切替パイプ５５をパイプキャッチ５４から離脱させた後、ロックピン５８２を押し込んだ状態で、切替パイプ５５を１８０度回転させ、ロックピン５８２を切替パイプ５５によって隠蔽する。この後、肘掛け５を押し下げることにより、切替パイプ５５をパイプキャッチ５４に装着させる（図１２参照）。
【００４２】
この状態では、切替パイプ５５をパイプキャッチ５４に装着しても、ロックピン５８２は、切替パイプ５５によって隠蔽されているため、パイプキャッチ５４の穴５４ａに嵌合することはない。したがって、肘掛け５を持ち上げれば、肘掛け本体５１の下辺部５１２がガイドパイプ５３回りに回動して、切替パイプ５５、すなわち、上辺部５１１がパイプキャッチ５４から簡単に離脱する。
【００４３】
なお、切替パイプ５５を１８０度回転することにより、穴５５ｂから外れ防止ピン５８３が突出するが、切替パイプ５５をパイプキャッチ５４に装着した際、外れ防止ピン５８３は、図１２に示すように、パイプキャッチ５４によって切替パイプ５５の外周面と同一面上に押し込められる。
【００４４】
この場合、ストッパ５６は、その外端縁がパイプキャッチ５４の内端縁に当接すること
から、肘掛け５に使用者の体重が作用したとしても、ストッパ５６がパイプキャッチ５４の内端縁に当接して、パイプキャッチ５４から肘掛け本体５１の上辺部５１１が脱落することを防止することができる。
【００４５】
なお、前述した実施形態においては、各肘掛け５を広狭２段に調節する場合を説明したが、３段階以上に調節することもでき、また、肘掛けの幅は固定であってもよい。
【００４６】
また、脚２に座部３を固定した浴室用椅子１について説明したが、脚２に回転機構を介して座部３を回転自在に支持した浴室用椅子に適用することもできる。この場合は、脚２に背もたれ４を取り付けることに代えて、座部３の座本体３１に背もたれ４のアーム４７を固定すればよい。
【産業上の利用可能性】
【００４７】
以上のように本発明によれば、略水平な使用位置と、跳ね上げ位置にわたって水平軸回りに回動自在な肘掛けを、回動不能な規制状態とすることにより、肘掛けの不用意な跳ね上げを確実に防止できることから、意図することなく開放された側方からの使用者の滑落を防止した安全な浴室用椅子を提供できる。
【図面の簡単な説明】
【００４８】
【図１】本発明の浴室用椅子の一実施形態を示す斜視図である。
【図２】図１の浴室用椅子の側面図である。
【図３】図１の浴室用椅子の背面図である。
【図４】図１の浴室用椅子の座部の分解斜視図である。
【図５】図１の浴室用椅子の背もたれの分解斜視図である。
【図６】図１の浴室用椅子の肘掛けを一部省略して示す背面図である。
【図７】図３の浴室用椅子において肘掛けの回動規制状態を一部省略して示す断面図である。
【図８】図１の浴室用椅子の肘掛けを跳ね上げ位置に回動させた状態を示す側面図である。
【図９】図３の浴室用椅子において肘掛けの回動規制解除状態を一部省略して示す断面図である。
【図１０】肘掛けの幅を拡張した状態の浴室用椅子の背面図である。
【図１１】図１０の浴室用椅子において肘掛けの回動規制状態を一部省略して示す断面図である。
【図１２】図１０の浴室用椅子において肘掛けの回動規制解除状態を一部省略して示す断面図である。
【符号の説明】
【００４９】
１  浴室用椅子
２  脚
２１  脚本体
２２  伸縮脚
３  座部
３１  座本体
３２  クッション部
４  背もたれ
４１  背もたれ本体
４２  クッション部
４３アーム
５  肘掛け
５１  肘掛け本体
５２  パイプホルダー
５３  ガイドパイプ
５３ａ  長穴
５４  パイプキャッチ
５４ａ  穴
５５  クッション部
５６  切替パイプ
５６ａ，５６ｂ  穴
５７  ストッパ
５８１，５８２  ロックピン
５８３  外れ防止ピン
５９１，５９２  ストッパピン
【図１】
2005110784.tif 000003
【図２】
2005110784.tif 000004
【図３】
2005110784.tif 000005
【図４】
2005110784.tif 000006
【図５】
2005110784.tif 000007
【図６】
2005110784.tif 000008
【図７】
2005110784.tif 000009
【図８】
2005110784.tif 000010
【図９】
2005110784.tif 000011
【図１０】
2005110784.tif 000012
【図１１】
2005110784.tif 000013
【図１２】
2005110784.tif 000014